(57)【要約】パケットデータトラフィックを分析し、サービスを監視し、データサービス別料金請求情報を生成し、且つプロトコル分析に基づいてネットワークを監視する移動通信網におけるパケットデータ分析装置。このパケットデータ分析装置は、加入者に対する無線データサービスを提供する移動通信交換機及びパケット制御装置のうちの１つとサービスサーバの間に配設され、前記移動通信交換機及びパケット制御装置のうちの１つとサービスサーバの間で伝送されるユーザパケットデータを分離して受信するパケットデータ分離部、前記パケットデータ分離部を通じて受信される前記ユーザパケットデータを伝送方向に応じて区分して分析するトラフィック分析部、前記トラフィック分析部が分析した結果データを記憶且つ管理する統計記憶部、及び、前記統計記憶部に記憶された各種データを検索して、使用者の所望の統計情報を提供する統計紹介部を備える。
2006506842.tif 000002
【特許請求の範囲】
【請求項１】
移動通信網を通じて加入者が特定のサービスサーバの無線データサービスを使用する際、前記加入者とサービスサーバとの間において伝送されるパケットデータトラフィックの分析装置であって、
前記加入者に対する無線データサービスを提供する移動通信交換機及びパケット制御装置のうちの１つと前記サービスサーバとの間に配設され、前記移動通信交換機及びパケット制御装置のうち１つと前記サービスサーバとの間で伝送されるユーザパケットデータを分離して受信するパケットデータ分離部；
前記パケットデータ分離部を通じて受信される前記ユーザパケットデータを伝送方向に応じて区分して分析するトラフィック分析部；
前記トラフィック分析部が分析した結果データを記憶及び管理する統計記憶部；及び
前記統計記憶部に記憶された各種データを検索し、使用者の所望の統計情報を提供する統計照会部；
を備えることを特徴とする分析装置。
【請求項２】
前記パケットデータ分離部は、前記移動通信交換機及びパケット制御装置のうちの１つと前記サービスサーバとの間のイーサネット（登録商標）接続に接続され、前記ユーザパケットデータを送信データ及び受信データに区分して受信することを特徴とする請求項１に記載の分析装置。
【請求項３】
前記トラフィック分析部は、前記パケットデータ分離部を通じて受信される前記ユーザパケットデータを送信データ及び受信データに区分して分析することを特徴とする請求項１に記載の分析装置。
【請求項４】
前記トラフィック分析部は、前記ユーザパケットデータを通じて前記移動通信交換機及びパケット制御装置のうちの１つと前記サービスサーバ間のＴＣＰ（Transmission Control Protocol）伝送フローを分析することを特徴とする請求項３に記載の分析装置。
【請求項５】
前記統計照会部は、前記トラフィック分析部によって分析される各種のリアルタイム統計をＧＵＩ（Graphical User Interface）を通じて前記使用者に提供することを特徴とする請求項１に記載の分析装置。
【請求項６】
前記各種のリアルタイム統計には、受信データ、送信データ、及び受信データ＋送信データの通信量、各階層への接続試行、成功回数、失敗回数、現在状態の統計、各応用（application）におけるＩＰ別使用統計、サービス別接続成功率統計、応答時間統計、基地局別ＰＰＰセッション成功率統計が含まれることを特徴とする請求項５に記載の分析装置。
【請求項７】
前記パケットデータ分離部と前記サービスサーバとの間に、パケットアドレスに基づいてパケットを適切なポートに伝達するスイッチングハブと、同一の伝送プロトコルを使用する分離されたネットワークを連結するルータとが接続されていることを特徴とする請求項１乃至６のいずれか１項に記載の分析装置。
【請求項８】
移動通信網を通じて加入者が特定のサービスサーバの無線データサービスを使用する際、前記加入者とサービスサーバとの間において伝送されるパケットデータトラフィックを分析する分析方法であって、
ａ）前記加入者に対する無線データサービスを提供する移動通信交換機及びパケット制御装置のうちの１つと前記サービスサーバとの間で伝送されるユーザパケットデータを分離して受信し；
ｂ）前記ａ）において受信される前記ユーザパケットデータを伝送方向に応じて区分して分析し；及び
ｃ）前記ｂ）において分析された結果データを使用して、使用者の所望の統計情報を提供する；
ことを特徴とする分析方法。
【請求項９】
前記ａ）において、前記移動通信交換機及びパケット制御装置のうちの１つと前記サービスサーバとの間のイーサネット（登録商標）接続を介して、前記ユーザパケットデータを送信データ及び受信データに区分して受信することを特徴とする請求項８に記載の分析方法。
【請求項１０】
前記ｂ）において、前記受信されるユーザパケットデータを送信データ及び受信データに区分して分析することを特徴とする請求項８に記載の分析方法。
【請求項１１】
前記ユーザパケットデータを通じて、前記移動通信交換機及びパケット制御装置のうちの１つと前記サービスサーバとの間のＴＣＰ伝送フローを分析することを特徴とする請求項１０に記載の分析方法。
【請求項１２】
移動通信網を通じて加入者が特定のサービスサーバの無線データサービスを使用する際、前記加入者とサービスサーバとの間において伝送されるパケットデータトラフィックの分析を通じて前記加入者へのサービスを監視するサービス監視装置であって、
前記加入者に対する無線データサービスを提供する移動通信交換機及びパケット制御装置のうちの１つと前記サービスサーバとの間に配設され、前記移動通信交換機及びパケット制御装置のうちの１つと前記サービスサーバとの間で伝送されるユーザパケットデータを分離して受信するパケットデータ分離部；
前記パケットデータ分離部を通じて受信される前記ユーザパケットデータを伝送方向に応じて区分して分析するトラフィック分析部；
前記トラフィック分析部が分析した結果データを記憶及び管理する統計記憶部；及び
前記統計記憶部に記憶された各種データを通じて、前記加入者に対するサービス別に正常状態を含む情報を生成し、前記情報を運用者に提供するサービス監視部；
を備えることを特徴とするサービス監視装置。
【請求項１３】
前記パケットデータ分離部は、前記移動通信交換機及びパケット制御装置のうちの１つと前記サービスサーバとの間のイーサネット（登録商標）接続に接続され、前記ユーザパケットデータを送信データ及び受信データに区分して受信することを特徴とする請求項１２に記載のサービス監視装置。
【請求項１４】
前記トラフィック分析部は、前記パケットデータ分離部を通じて受信される前記ユーザパケットデータを送信データ及び受信データに区分して分析することを特徴とする請求項１２に記載のサービス監視装置。
【請求項１５】
前記トラフィック分析部は、前記ユーザパケットデータを通じて前記移動通信交換機及びパケット制御装置のうちの１つと前記サービスサーバとの間のＴＣＰ（Transmission Control Protocol）伝送フローを分析することを特徴とする請求項１２に記載のサービス監視装置。
【請求項１６】
前記加入者に対するサービス別正常状態を含む前記情報は、サービスオプション別に区分された試行回数及び成功イベント回数の統計データ、並びにＴＣＰポート番号別のサービス試行回数及び成功イベント回数の統計データを周期的に又は前記移動通信網運用事業者の要請によってリアルタイムで照会して、生成されることを特徴とする請求項１２に記載のサービス監視装置。
【請求項１７】
前記パケットデータ分離部と前記サービスサーバとの間に、パケットアドレスに基づいてパケットを適切なポートに伝達するスイッチングハブと、同一の伝送プロトコルを使用する分離されたネットワークを連結するルータとが接続されていることを特徴とする請求項１２乃至１６のいずれか１請求項に記載のサービス監視装置。
【請求項１８】
移動通信網を通じて加入者が特定のサービスサーバの無線データサービスを使用する際、前記加入者とサービスサーバとの間において伝送されるパケットデータトラフィックの分析を通じて前記加入者へのサービスを監視するサービス監視方法であって、
ａ）前記加入者に対する無線データサービスを提供する前記移動通信交換機及びパケット制御装置のうちの１つと前記サービスサーバとの間で伝送されるユーザパケットデータを分離して受信し；
ｂ）前記ａ）において受信される前記ユーザパケットデータを伝送方向に応じて区分して分析し；及び
ｃ）前記ｂ）において分析された結果データを通じて前記加入者に対するサービス別に正常状態を含む情報を生成し、前記情報を運用者に提供する；
ことを特徴とするサービス監視方法。
【請求項１９】
前記ａ）において、前記移動通信交換機及びパケット制御装置のうちの１つと前記サービスサーバとの間のイーサネット（登録商標）接続を介して、前記ユーザパケットデータを送信データ及び受信データに区分して受信することを特徴とする請求項１８に記載のサービス監視方法。
【請求項２０】
前記ｂ）において、前記受信されるユーザパケットデータを送信データ及び受信データに区分して分析することを特徴とする請求項１８に記載のサービス監視方法。
【請求項２１】
前記ユーザパケットデータを通じて、前記移動通信交換機及びパケット制御装置のうちの１つと前記サービスサーバとの間のＴＣＰ伝送フローを分析することを特徴とする請求項２０に記載のサービス監視方法。
【請求項２２】
移動通信網を通じて加入者が特定のサービスサーバの無線データサービスを使用する際、前記加入者とサービスサーバとの間において伝送されるパケットデータトラフィックを通じるプロトコル分析に基づいてネットワークを監視するネットワーク監視装置であって、
前記加入者に対する無線データサービスを提供するパケット制御装置と、前記パケット制御装置を通じて前記サービスサーバへの無線データサービスを可能にするネットワークリンキング装置との間に配設され、前記パケット制御装置と前記ネットワークリンキング装置との間で伝送されるユーザパケットデータを分離して受信する第１パケットデータ分離部；
前記ネットワークリンキング装置と前記サービスサーバとの間に配設され、前記ネットワークリンキング装置と前記サービスサーバとの間で伝送されるユーザパケットデータを分離して受信する第２パケットデータ分離部；
前記第１パケットデータ分離部を通じて受信される前記ユーザパケットデータに基づいてプロトコルを分析する第１プロトコル分析部；
前記第２パケットデータ分離部を通じて受信されるユーザパケットデータに基づいてプロトコルを分析する第２プロトコル分析部；
前記第１プロトコル分析部及び第２プロトコル分析部によって夫々分析された結果データを記憶及び管理する統計記憶部；及び
前記統計記憶部に記憶された各種データを通じて前記移動通信網への関連ネットワークに関する正常状態を含む情報を生成し、運用者に提供するネットワーク監視部；
を備えることを特徴とするネットワーク監視装置。
【請求項２３】
前記第１パケットデータ分離部は、前記パケット制御装置と前記ネットワークリンキング装置との間のイーサネット（登録商標）接続に接続されて、ユーザパケットデータを送信データ及び受信データに区分して受信し、及び
前記第２パケットデータ分離部は、前記ネットワークリンキング装置と前記サービスサーバとの間のイーサネット（登録商標）接続に接続されて、ユーザパケットデータを送信データ及び受信データに区分して受信することを特徴とする請求項２２に記載のネットワーク監視装置。
【請求項２４】
前記第１プロトコル分析部は、前記第１パケットデータ分離部によって受信されるユーザパケットデータに対応してプロトコル構造を送信構造及び受信構造に区分し、及び
前記第２プロトコル分析部は、前記第２パケットデータ分離部によって受信されるユーザパケットデータに対応してプロトコル構造を送信構造及び受信構造に区分することを特徴とする請求項２２に記載のネットワーク監視装置。
【請求項２５】
前記第１プロトコル分析部は、前記ユーザパケットデータを通じて前記パケット制御装置と前記ネットワークリンキング装置との間のＲＰ登録及び認証フロー、ＰＰＰ（Point-to-Point Protocol）データリンク設定、及びＰＰＰ ＩＰ割当フローを分析し、及び
前記第２プロトコル分析部は、前記ユーザパケットデータを通じて前記ネットワークリンキング装置と前記サービスサーバとの間のＴＣＰ伝送フローを分析することを特徴とする請求項２２に記載のネットワーク監視装置。
【請求項２６】
前記統計記憶部に記憶されるデータは、基地局別プロトコル接続統計、ネットワークリンキング装置別プロトコル接続統計、プロトコル失敗原因別統計、基地局別ＰＰＰ接続統計、ネットワークリンキング装置別ＰＰＰ接続統計、及びプロトコルメッセージ統計を含むことを特徴とする請求項２２に記載のネットワーク監視装置。
【請求項２７】
前記第２パケットデータ分離部と前記サービスサーバとの間に、パケットアドレスに基づいてパケットを適切なポートに伝達するスイッチングハブと、同一の伝送プロトコルを使用する分離されたネットワークを連結するルータとが接続されていることを特徴とする請求項２２乃至２６のいずれか１項に記載のネットワーク監視装置。
【請求項２８】
移動通信網を通じて加入者が特定のサービスサーバの無線データサービスを使用する際、前記加入者とサービスサーバとの間において伝送されるパケットデータトラフィックを通じるプロトコル分析に基づいてネットワークを監視するネットワーク監視方法であって、
ａ）前記加入者に対する無線データサービスを提供するパケット制御装置と、前記パケット制御装置を通じた前記サービスサーバへの無線データサービスを可能にするネットワークリンキング装置との間で伝送されるユーザパケットデータと、前記パケット制御装置と前記サービスサーバとの間で伝送されるユーザパケットデータとを夫々分離して受信し；
ｂ）前記ａ）において受信される各ユーザパケットデータに基づいてプロトコルを分析し；及び
ｃ）前記ｂ）において分析された結果データを通じて前記移動通信網関連ネットワークに関する正常状態を含む情報を生成し、運用者に提供する；
ことを特徴とするネットワーク監視方法。
【請求項２９】
前記パケット制御装置と前記ネットワークリンキング装置との間のイーサネット（登録商標）接続を行い、ユーザパケットデータを送信データ及び受信データに区分して受信し、及び
前記ネットワークリンキング装置と前記サービスサーバとの間のイーサネット（登録商標）接続を行い、ユーザパケットデータを送信データ及び受信データに区分して受信することを特徴とする請求項２８に記載のネットワーク監視方法。
【請求項３０】
前記ｂ）において、前記ｂ）において受信されるユーザパケットデータに応じてプロトコル構造を送信プロトコル構造及び受信プロトコル構造に区分して分析することを特徴とする請求項２８に記載のネットワーク監視方法。
【請求項３１】
前記ユーザパケットデータを通じて、前記パケット制御装置と前記ネットワークリンキング装置との間のＲＰ登録及び認証フロー、ＰＰＰ（Point-to-Point Protocol）データリンク設定、及びＰＰＰ ＩＰ割当フローを分析し、及び
前記ユーザパケットデータを通じて、前記ネットワークリンキング装置と前記サービスサーバとの間のＴＣＰ伝送フローを分析することを特徴とする請求項３０に記載のネットワーク監視方法。
【請求項３２】
移動通信網を通じて加入者が特定のサービスサーバの無線データサービスを使用する際、前記加入者とサービスサーバとの間において伝送されるパケットデータの分析に基づくデータサービス別の料金請求情報を生成するデータサービス別料金請求情報生成装置であって、
前記加入者に対する無線データサービスを提供する移動通信交換機及びパケット制御装置のうちの１つと前記サービスサーバとの間に配設され、前記移動通信交換機及びパケット制御装置のうちの１つと前記サービスサーバとの間で伝送されるユーザパケットデータを分離して受信するパケット分離部；
前記パケット分離部を通じて受信されるユーザパケットを分析して、前記加入者が使用する受信されたサービス情報を求めて第１料金請求情報として前記サービス情報を出力するパケット分析部；及び
前記パケット分析部によって出力される前記第１料金請求情報と、前記移動通信交換機及びパケット制御装置の一方から提供される第２料金請求情報とを統合して１つのサービス別料金請求情報として記憶し、前記サービス別料金請求情報を含む前記加入者の料金請求情報を、前記加入者に料金請求するために特定料金請求処理システムに伝送する料金請求情報記憶部；
を備えることを特徴とするデータサービス別料金請求情報生成装置。
【請求項３３】
前記パケット分離部は、前記移動通信交換機及びパケット制御装置のうちの１つと前記サービスサーバとの間のイーサネット（登録商標）接続に接続され、ユーザパケットデータを送信情報及び受信情報に区分して受信することを特徴とする請求項３２に記載のデータサービス別料金請求情報生成装置。
【請求項３４】
前記パケット分析部は、前記パケット分離部を通じて受信される前記ユーザパケットデータを使用して各加入者別送信先ＩＰ及びポート番号を含む情報を求めると共に、前記加入者が使用するパケットデータを利用して前記加入者のサービス使用情報を求めることを特徴とする請求項３２に記載のデータサービス別料金請求情報生成装置。
【請求項３５】
移動通信網を通じて加入者が特定のサービスサーバの無線データサービスを使用する際、前記加入者とサービスサーバとの間において伝送されるパケットデータの分析に基づくデータサービス別の料金請求情報を生成するデータサービス別料金請求情報生成方法であって、
ａ）移動通信交換機及びパケット制御装置のうちの１つと前記サービスサーバとの間で伝送されるユーザパケットデータを分離して受信し；
ｂ）前記ａ）において受信される前記ユーザパケットデータを分析し、前記加入者が使用する受信されたサービス情報を求めて第１料金請求情報として前記サービス情報を出力し；
ｃ）前記ｂ）において出力される前記第１料金請求情報と、前記移動通信交換機及びパケット制御装置の一方から提供される第２料金請求情報とを統合して、１つのサービス別料金請求情報として記憶し；及び
ｄ）前記サービス別料金請求情報を含む前記加入者の料金請求情報を、前記加入者に料金請求するために特定料金請求処理システムに伝送する；
ことを特徴とするデータサービス別料金請求情報生成方法。
【請求項３６】
前記ａ）において、前記移動通信交換機及びパケット制御装置のうちの１つと前記サービスサーバとの間のイーサネット（登録商標）接続へ接続して、前記ユーザパケットデータを送信データ及び受信データに区分して受信することを特徴とする請求項３５に記載のデータサービス別料金請求情報生成方法。
【請求項３７】
前記ｂ）において、前記ユーザパケットデータを分析して加入者別送信先ＩＰ及びポート番号を含む情報を求めると共に、前記加入者が使用するパケットデータを利用して前記加入者のサービス使用情報を求めることを特徴とする請求項３５に記載のデータサービス別料金請求情報生成方法。
【請求項３８】
移動通信網を通じて加入者が特定のサービスサーバの無線データサービスを使用する際、前記加入者とサービスサーバとの間において伝送されるパケットデータの分析に基づくデータサービス別の料金請求情報を生成するデータサービス別料金請求情報生成装置であって、
前記加入者に対する無線データサービスを提供する移動通信交換機及びパケット制御装置のうちの１つと前記サービスサーバとの間で伝送されるユーザパケットデータを中継するパケット中継部がポートミラーリング法によって複写する、前記移動通信交換機及びパケット制御装置のうちの１つと前記サービスサーバとの間で伝送されるユーザパケットデータを受信し、前記受信されるユーザパケットデータを分析することによって前記加入者が使用するサービス情報を求めて第１料金請求情報として前記サービス情報を出力するパケット分析部；及び
前記パケット分析部によって出力される前記第１料金請求情報と、前記移動通信交換機及びパケット制御装置の一方から提供される第２料金請求情報とを統合して１つのサービス別料金請求情報として記憶し、前記サービス別料金請求情報を含む前記加入者の料金請求情報を、前記加入者に料金請求するために特定料金請求処理システムに伝送する料金請求情報記憶部；
を備えることを特徴とするデータサービス別料金請求情報生成装置。
【請求項３９】
前記パケット分析部は、前記パケット中継部によって複写されて受信される前記ユーザパケットデータを使用して加入者別送信先ＩＰ及びポート番号を含む情報を求めると共に、前記加入者が使用するパケットデータを利用して前記加入者のサービス使用情報を求めることを特徴とする請求項３８に記載のデータサービス別料金請求情報生成装置。
【請求項４０】
前記パケット中継部は、パケットアドレスに基づいて前記パケットを適切なポートに伝達するスイッチングハブであることを特徴とする請求項３８又は３９に記載のデータサービス別料金請求情報生成装置。
【請求項４１】
前記パケット中継部は、同一の伝送プロトコルを使用する分離されたネットワークを連結するルータであることを特徴とする請求項３８又は３９に記載のデータサービス別料金請求情報生成装置。
【請求項４２】
移動通信網を通じて加入者が特定のサービスサーバの無線データサービスを使用する際、前記加入者とサービスサーバとの間において伝送されるパケットデータの分析に基づくデータサービス別の料金請求情報を生成するデータサービス別料金請求情報生成方法であって、
ａ）前記加入者に対する無線データサービスを提供する移動通信交換機及びパケット制御装置のうちの１つと前記サービスサーバとの間で伝送されるユーザパケットデータを中継するパケット中継部がポートミラーリング法によって複写する、前記移動通信交換機及びパケット制御装置のうちの１つと前記サービスサーバとの間で伝送されるユーザパケットデータを受信し、前記受信されるユーザパケットデータを分析することによって前記加入者が使用するサービス情報を求めて第１料金請求情報として前記サービス情報を出力し；
ｂ）前記ａ）において出力される前記第１料金請求情報と、前記移動通信交換機及びパケット制御装置の一方から提供される第２料金請求情報とを統合して１つのサービス別料金請求情報として記憶し；及び
ｃ）前記サービス別料金請求情報を含む前記加入者の料金請求情報を、前記加入者に料金請求するために特定料金請求処理システムに伝送する；
ことを特徴とするデータサービス別料金請求情報生成方法。
【請求項４３】
前記ａ）において、前記ユーザパケットデータを分析して加入者別送信先ＩＰ及びポート番号を含む情報を求めると共に、前記加入者が使用する前記パケットデータを利用して前記加入者のサービス使用情報を求めることを特徴とする請求項４２に記載のデータサービス別料金請求情報生成方法。
【発明の詳細な説明】
【技術分野】
【０００１】
本発明は移動通信網でのパケットデータ分析に関し、特に、ＩＰ（Internet  Protocol）網から伝達されるパケットデータ及びプロトコルに対する分析を通じて多様な統計を提供し、このような分析によって加入者のサービス別監視情報を提供し、データ網を全体的に監視し、及び無線データサービス別料金請求情報を生成するパケットデータ分析装置及びその方法に関する。
【背景技術】
【０００２】
デジタル移動局を商業用化する国内移動通信サービス方式、特にＣＤＭＡ（Code Division Multiple Access）方式の無線サービス規格は北米規格であるＩＳ−９５Ａ（Interim Standard-95A）を採用しており、このようなＩＳ−９５Ａ網を一部補完して、既存のＩＳ−９５Ａと互換性を維持しながら高速のデータサービスを実施しようとする方式がＩＳ−９５Ｂである。このようなＩＳ−９５Ａ及びＩＳ−９５Ｂは、移動通信網の進化過程中の第２世代（２Ｇ）に属する。
【０００３】
一方、第３世代（３Ｇ）に該当するｃｄｍａ２０００−１ｘは、ＩＳ−９５Ａ/Ｂで周波数帯域幅とデータ伝送速度を向上させた方式であって、ＩＳ−９５Ｃともいう。
【０００４】
このような移動通信網、特に、ＩＳ−９５Ａ/Ｂ及びｃｄｍａ２０００−１ｘ網を利用する加入者がデータサービスの提供を受けたい場合には、各加入者が対応するネットワークにＰＰＰ（Point-to-Point Protocol）によって接続してインターネットに接続し、特定のサーバから無線データサービスの提供を受ける。
【０００５】
より詳細には、第２世代のＩＳ−９５Ａ/Ｂ網では、図１に示されているように、加入者１０が無線データ通信を要請する場合ＢＴＳ（Base Transceiver Station）及びＢＳＣ（Base Station Controller）２０とＰＣＸ（PCs exchange）３０を通じて加入者１０がＩＷＦ（Inter Working Function）４０にＰＰＰ接続し、このＰＰＰ接続によって加入者１０はサービスサーバ６０に接続される。そして、加入者１０に対する無線データ通信が行われる。
【０００６】
また、第３世代のｃｄｍａ２０００−１ｘ網では、図１に示されているように、加入者１０が無線データ通信を要請する場合、ＢＴＳ/ＢＳＣ２０とＰＣＦ（Packet Control Function）３０を通じて加入者１０がＰＤＳＮ（Packet Data Serving Node）４０にＰＰＰ接続して、サービスサーバ６０から無線データサービスの提供を受ける。
【０００７】
一方、図１のように構成された無線データサービスシステムにおいて、ＩＷＦやＰＤＳＮ４０より以降に接続されるシステムはイーサネット（登録商標）のようなＩＰ網を備える。
【発明の開示】
【発明が解決しようとする課題】
【０００８】
しかしながら、上述のように構成されたＩＰ網でのパケットデータトラフィックに対する分析は、ＩＷＦやＰＤＳＮ４０、ＩＰ装備であるＳ/Ｈ（Switching Hub）、又はルータなどから提供される統計に依存しており、このような統計として、システム固有の最大性能のために制限的な統計情報が使用者に提供されるため、多様なパケットデータトラフィックの分析のための統計は十分に提供できないという問題点がある。
【０００９】
また、ＢＴＳ/ＢＳＣ２０からＳ/Ｈ及びルータ５０に達する区間において上記各システムは、システム自身又は自身に連結されているリンクの連結状態を管理しているだけであり、移動通信網運用事業者がサービスを監視することは不可能である。
【００１０】
また、第３世代のｃｄｍａ２０００−１ｘ網では、図２に示されているように、加入者１５が無線データ通信を要請する場合、加入者１５がＰＤＳＮ３５にＰＰＰ接続した後、ＡＡＡ（Authentication Authorization Accounting）４５に接続して加入者認証と料金請求手続きなどを行った後、サービスサーバ６５からの無線データサービスの提供を受けることができる。この場合、ＰＣＦ２５は、Ａ１１プロトコルを利用してＰＤＳＮ３５に連結され、ＰＤＳＮ３５は、ＲＡＤＩＵＳ（Remote Authentication Dial-IN User Service）プロトコルを利用してＡＡＡ４５に接続されている。
【００１１】
一方、図２のように構成された無線データサービスシステムにおいて、ＰＣＦ２５以降に搭載されている構成にはイーサネット（登録商標）のようなＩＰ網が含まれる。この場合、ＰＣＦ２５、ＰＤＳＮ３５、ＡＡＡ４５などのような各システムは、システム自身又は自身に連結されているリンクの連結状態のみを管理しているだけであり、移動通信網運用事業者が互いに伝達されるパケットデータのプロトコル分析によるデータ網を全体的に監視することは不可能である。
【００１２】
一方、図１の無線データサービスシステムにおいて、加入者１０の料金請求には、データサービス利用時間を計算する時間制料金請求方式と使用パケット総量を計算するパケット料金請求方式とが使用されているため、加入者１０の多様なサービス使用に応じる多様な料金適用が不可能である。例えば、無線データサービスには、テキストを基準にした小容量処理のデータサービス、ＶＯＤ（Video On Demand）のような大容量処理を必要とするデータサービスなどが存在するが、このような多様なサービス別に異なる料金請求を行うことは不可能である。
【００１３】
本発明の第１の目的は、移動通信網におけるパケットデータトラフィックに対する分析を効率的に改善して、安定したサービス提供のためのシステムのリンク管理、及び効率的なネットワーク投資のための多様な統計情報を提供することができる移動通信網におけるパケットデータトラフィック分析装置及びその方法を提供することにある。
【００１４】
本発明の他の目的は、移動通信網から提供される無線データサービスを監視することができるようにして、より安定した無線データサービスを加入者に提供することができる、移動通信網におけるパケットデータトラフィック分析によるサービス監視装置及びその方法を提供することにある。
【００１５】
また、本発明の他の目的は、移動通信網から伝送されるパケットデータからのプロトコル分析を通じてデータ網を全体的に監視することができるようにして、より安定した無線データサービスを加入者に提供することができる、移動通信網におけるプロトコル分析に基づいたネットワーク監視装置及びその方法を提供することにある。
【００１６】
さらに、本発明の他の目的は、移動通信網での使用者データパケットに対する分析を通じて、各加入者が使用する無線データサービスに応じたサービス別料金請求情報を生成することができる、移動通信網におけるパケットデータ分析に基づいたデータサービス別料金請求情報生成装置及びその方法を提供することにある。
【課題を解決するための手段】
【００１７】
本発明の１つの態様に係る分析装置は、移動通信網を通じて加入者が特定のサービスサーバの無線データサービスを使用する際、前記加入者とサービスサーバとの間において伝送されるパケットデータトラフィックの分析装置であって、前記加入者に対する無線データサービスを提供する移動通信交換機及びパケット制御装置のうちの１つと前記サービスサーバとの間に配設され、前記移動通信交換機及びパケット制御装置のうちの１つと前記サービスサーバとの間で伝送されるユーザパケットデータを分離して受信するパケットデータ分離部；前記パケットデータ分離部を通じて受信される前記ユーザパケットデータを伝送方向に応じて区分して分析するトラフィック分析部；前記トラフィック分析部が分析した結果データを記憶及び管理する統計記憶部；及び前記統計記憶部に記憶された各種データを検索し、使用者の所望の統計情報を提供する統計照会部；を備えることを特徴とする。
【００１８】
前記パケットデータ分離部は、前記移動通信交換機及びパケット制御装置のうちの１つと前記サービスサーバとの間のイーサネット（登録商標）接続に接続され、前記ユーザパケットデータを送信データ及び受信データに区分して受信することを特徴とする。
【００１９】
前記トラフィック分析部は、前記パケットデータ分離部を通じて受信される前記ユーザパケットデータを送信データ及び受信データに区分して分析することを特徴とする。
【００２０】
前記トラフィック分析部は、前記ユーザパケットデータを通じて前記移動通信交換機及びパケット制御装置のうちの１つと前記サービスサーバ間のＴＣＰ伝送フローを分析することを特徴とする。
【００２１】
前記統計照会部は、前記トラフィック分析部によって分析される各種のリアルタイム統計をＧＵＩを通じて前記使用者に提供することを特徴とする。
【００２２】
本発明の他の態様に係る分析方法は、移動通信網を通じて加入者が特定のサービスサーバの無線データサービスを使用する際、前記加入者とサービスサーバとの間において伝送されるパケットデータトラフィックを分析する方法であって、ａ）前記加入者に対する無線データサービスを提供する移動通信交換機及びパケット制御装置のうちの１つと前記サービスサーバとの間で伝送されるユーザパケットデータを分離して受信し；ｂ）前記ａ）において受信される前記ユーザパケットデータを伝送方向に応じて区分して分析し；及びｃ）前記ｂ）において分析された結果データを使用して、使用者の所望の統計情報を提供する；ことを特徴とする。
【００２３】
本発明の他の態様に係るサービス監視装置は、移動通信網を通じて加入者が特定のサービスサーバの無線データサービスを使用する際、前記加入者とサービスサーバとの間で伝送されるパケットデータトラフィックの分析を通じて前記加入者へのサービスを監視するサービス監視装置であって、前記加入者に対する無線データサービスを提供する移動通信交換機及びパケット制御装置のうちの１つと前記サービスサーバとの間に配設され、前記移動通信交換機及びパケット制御装置のうちの１つと前記サービスサーバとの間で伝送されるユーザパケットデータを分離して受信するパケットデータ分離部；前記パケットデータ分離部を通じて受信される前記ユーザパケットデータを伝送方向に応じて区分して分析するトラフィック分析部；前記トラフィック分析部が分析した結果データを記憶及び管理する統計記憶部；及び前記統計記憶部に記憶された各種データを通じて、前記加入者に対するサービス別に正常状態を含む情報を生成し、前記情報を運用者に提供するサービス監視部；を備えることを特徴とする。
【００２４】
本発明の他の態様に係るサービス監視方法は、移動通信網を通じて加入者が特定のサービスサーバの無線データサービスを使用する際、前記加入者とサービスサーバとの間において伝送されるパケットデータトラフィックの分析を通じて前記加入者へのサービスを監視するサービス監視方法であって、ａ）前記加入者に対する無線データサービスを提供する前記移動通信交換機及びパケット制御装置のうちの１つと前記サービスサーバとの間で伝送されるユーザパケットデータを分離して受信し；ｂ）前記ａ）において受信される前記ユーザパケットデータを伝送方向に応じて区分して分析し；及びｃ）前記ｂ）において分析された結果データを通じて前記加入者に対するサービス別に正常状態を含む情報を生成し、前記情報を運用者に提供する；ことを特徴とする。
【００２５】
本発明の他の形態に係るネットワーク監視装置は、移動通信網を通じて加入者が特定のサービスサーバの無線データサービスを使用する際、前記加入者とサービスサーバとの間で伝送されるパケットデータデータトラフィックを通じるプロトコル分析に基づいてネットワークを監視するネットワーク監視装置であって、前記加入者に対する無線データサービスを提供するパケット制御装置と、前記パケット制御装置を通じて前記サービスサーバへの無線データサービスを可能にするネットワークリンキング装置との間に配設され、前記パケット制御装置と前記ネットワークリンキング装置との間で伝送されるユーザパケットデータを分離して受信する第１パケットデータ分離部；前記ネットワークリンキング装置と前記サービスサーバとの間に配設され、前記ネットワークリンキング装置と前記サービスサーバとの間で伝送されるユーザパケットデータを分離して受信する第２パケットデータ分離部；前記第１パケットデータ分離部を通じて受信される前記ユーザパケットデータに基づいてプロトコルを分析する第１プロトコル分析部；前記第２パケットデータ分離部を通じて受信されるユーザパケットデータに基づいてプロトコルを分析する第２プロトコル分析部；前記第１プロトコル分析部及び第２プロトコル分析部によって夫々分析された結果データを記憶及び管理する統計記憶部；及び前記統計記憶部に記憶された各種データを通じて前記移動通信網への関連ネットワークに関する正常状態を含む情報を生成し、運用者に提供するネットワーク監視部；を備えることを特徴とする。
【００２６】
前記第１パケットデータ分離部は、前記パケット制御装置と前記ネットワークリンキング装置との間のイーサネット（登録商標）接続に接続されて、ユーザパケットデータを送信データ及び受信データに区分して受信し、及び前記第２パケットデータ分離部は、前記ネットワークリンキング装置と前記サービスサーバとの間のイーサネット（登録商標）接続に接続されて、ユーザパケットデータを送信データ及び受信データに区分して受信することを特徴とする。
【００２７】
前記第１プロトコル分析部は、前記第１パケットデータ分離部によって受信されるユーザパケットデータに対応してプロトコル構造を送信構造及び受信構造に区分し、及び前記第２プロトコル分析部は、前記第２パケットデータ分離部によって受信されるユーザパケットデータに対応してプロトコル構造を送信構造及び受信構造に区分することを特徴とする。
【００２８】
前記第１プロトコル分析部は、前記ユーザパケットデータを通じて前記パケット制御装置と前記ネットワークリンキング装置との間のＲＰ登録及び認証フロー、ＰＰＰデータリンク設定、及びＰＰＰ ＩＰ割当フローを分析し、及び前記第２プロトコル分析部は、前記ユーザパケットデータを通じて前記ネットワークリンキング装置と前記サービスサーバとの間のＴＣＰ伝送フローを分析することを特徴とする。
【００２９】
前記統計記憶部に記憶されるデータは、基地局別プロトコル接続統計、ネットワークリンキング装置別プロトコル接続統計、プロトコル失敗原因別統計、基地局別ＰＰＰ接続統計、ネットワークリンキング装置別ＰＰＰ接続統計、及びプロトコルメッセージ統計を含むことを特徴とする。
【００３０】
また、前記第２パケットデータ分離部と前記サービスサーバとの間に、パケットアドレスに基づいてパケットを適切なポートに伝達するスイッチングハブと、同一の伝送プロトコルを使用する分離されたネットワークを連結するルータとが接続されていることを特徴とする。
【００３１】
本発明の他の態様に係るネットワーク監視方法は、移動通信網を通じて加入者が特定のサービスサーバの無線データサービスを使用する際、前記加入者とサービスサーバとの間で伝送されるパケットデータトラフィックを通じたプロトコル分析に基づいてネットワークを監視するネットワーク監視方法であって、ａ）前記加入者に対する無線データサービスを提供するパケット制御装置と、前記パケット制御装置を通じた前記サービスサーバへの無線データサービスを可能にするネットワークリンキング装置との間で伝送されるユーザパケットデータと、前記パケット制御装置と前記サービスサーバとの間で伝送されるユーザパケットデータとを夫々分離して受信し；ｂ）前記ａ）において受信される各ユーザパケットデータに基づいてプロトコルを分析し；及びｃ）前記ｂ）において分析された結果データを通じて前記移動通信網関連ネットワークに関する正常状態を含む情報を生成し、運用者に提供する；ことを特徴とする。
【００３２】
本発明の他の態様に係るデータサービス別料金請求情報生成装置は、移動通信網を通じて加入者が特定のサービスサーバの無線データサービスを使用する際、前記加入者とサービスサーバとの間において伝送されるパケットデータの分析に基づくデータサービス別の料金請求情報を生成するデータサービス別料金請求情報生成装置であって、前記加入者に対する無線データサービスを提供する移動通信交換機及びパケット制御装置のうちの１つと前記サービスサーバとの間に配設され、前記移動通信交換機及びパケット制御装置のうちの１つと前記サービスサーバとの間で伝送されるユーザパケットデータを分離して受信するパケット分離部；前記パケット分離部を通じて受信されるユーザパケットを分析して、前記加入者が使用する受信されたサービス情報を求めて第１料金請求情報として前記サービス情報を出力するパケット分析部；及び前記パケット分析部によって出力される前記第１料金請求情報と、前記移動通信交換機及びパケット制御装置の一方から提供される第２料金請求情報とを統合して１つのサービス別料金請求情報として記憶し、前記サービス別料金請求情報を含む前記加入者の料金請求情報を、前記加入者に料金請求するために特定料金請求処理システムに伝送する料金請求情報記憶部；を備えることを特徴とする。
【００３３】
前記パケット分離部は、前記移動通信交換機及びパケット制御装置のうちの１つと前記サービスサーバとの間のイーサネット（登録商標）接続に接続され、ユーザパケットデータを送信情報及び受信情報に区分して受信することを特徴とする。
【００３４】
前記パケット分析部は、前記パケット分離部を通じて受信される前記ユーザパケットデータを使用して各加入者別送信先ＩＰ及びポート番号を含む情報を求めると共に、前記加入者が使用するパケットデータを利用して前記加入者のサービス使用情報を求めることを特徴とする。
【００３５】
本発明の他の態様に係るデータサービス別料金請求情報生成方法は、移動通信網を通じて加入者が特定のサービスサーバの無線データサービスを使用する際、前記加入者とサービスサーバとの間において伝送されるパケットデータ分析に基づくデータサービス別の料金請求情報を生成するデータサービス別料金請求情報生成方法であって、ａ）移動通信交換機及びパケット制御装置のうちの１つと前記サービスサーバとの間で伝送されるユーザパケットデータを分離して受信し；ｂ）前記ａ）において受信される前記ユーザパケットデータを分析し、前記加入者が使用する受信されたサービス情報を求めて第１料金請求情報として前記サービス情報を出力し；ｃ）前記ｂ）において出力される前記第１料金請求情報と、前記移動通信交換機及びパケット制御装置の一方から提供される第２料金請求情報とを統合して、１つのサービス別料金請求情報として記憶し；及びｄ）前記サービス別料金請求情報を含む前記加入者の料金請求情報を、前記加入者に料金請求するために特定料金請求処理システムに伝送する；ことを特徴とする。
【００３６】
本発明の他の態様に係るデータサービス別料金請求情報生成装置は、移動通信網を通じて加入者が特定のサービスサーバの無線データサービスを使用する際、前記加入者とサービスサーバとの間において伝送されるパケットデータ分析に基づくデータサービス別の料金請求情報を生成するデータサービス別料金請求情報生成装置であって、前記加入者に対する無線データサービスを提供する移動通信交換機及びパケット制御装置のうちの１つと前記サービスサーバとの間で伝送されるユーザパケットデータを中継するパケット中継部がポートミラーリング法によって複写する、前記移動通信交換機及びパケット制御装置のうちの１つと前記サービスサーバとの間で伝送されるユーザパケットデータを受信し、前記受信されるユーザパケットデータを分析することによって前記加入者が使用するサービス情報を求めて第１料金請求情報として前記サービス情報を出力するパケット分析部；及び前記パケット分析部によって出力される前記第１料金請求情報と、前記移動通信交換機及びパケット制御装置の一方から提供される第２料金請求情報とを統合して１つのサービス別料金請求情報として記憶し、前記サービス別料金請求情報を含む前記加入者の料金請求情報を、前記加入者に料金請求するために特定料金請求処理システムに伝送する料金請求情報記憶部；を備えることを特徴とする。
【００３７】
前記パケット分析部は、前記パケット中継部によって複写されて受信される前記ユーザパケットデータを使用して加入者別送信先ＩＰ及びポート番号を含む情報を求めると共に、前記加入者が使用するパケットデータを利用して前記加入者のサービス使用情報を求めることを特徴とする。
【００３８】
前記パケット中継部は、パケットアドレスに基づいて前記パケットを適切なポートに伝達するスイッチングハブであることを特徴とする。
【００３９】
前記パケット中継部は、同一の伝送プロトコルを使用する分離されたネットワークを連結するルータであることを特徴とする。
【００４０】
本発明の他の態様に係るデータサービス別料金請求情報生成方法は、移動通信網を通じて加入者が特定のサービスサーバの無線データサービスを使用する際、前記加入者とサービスサーバとの間において伝送されるパケットデータ分析に基づくデータサービス別の料金請求情報を生成するデータサービス別料金請求情報生成方法であって、ａ）前記加入者に対する無線データサービスを提供する移動通信交換機及びパケット制御装置のうちの１つと前記サービスサーバとの間で伝送されるユーザパケットデータを中継するパケット中継部がポートミラーリング法によって複写する、前記移動通信交換機及びパケット制御装置のうちの１つと前記サービスサーバとの間で伝送されるユーザパケットデータを受信し、前記受信されるユーザパケットデータを分析することによって前記加入者が使用するサービス情報を求めて第１料金請求情報として前記サービス情報を出力し；ｂ）前記ａ）において出力される前記第１料金請求情報と、前記移動通信交換機及びパケット制御装置の一方から提供される第２料金請求情報とを統合して１つのサービス別料金請求情報として記憶し；及びｃ）前記サービス別料金請求情報を含む前記加入者の料金請求情報を、前記加入者に料金請求するために特定料金請求処理システムに伝送する；ことを特徴とする。
【発明の効果】
【００４１】
本発明によれば、移動通信網において無線データサービスにおける、ＩＰ網を通じたパケットデータトラフィック分析を効率的に行うことができ、移動通信網の投資のためのより多くの統計及びより詳細な情報を提供することができる。
【００４２】
また、移動通信網運用事業者によって無線データサービスの監視が可能になるので、より安定した無線データサービスを加入者に提供することができる。
【００４３】
また、移動通信網運用事業者によって無線データサービスを提供するネットワークの総合的な監視が可能になるので、より安定した無線データ通信サービスを加入者に提供することができる。
【００４４】
また、移動通信網運用事業者が、加入者が使用する多様なサービスに応じてサービス別の料金請求を行うことが可能になり、したがって、多様なサービス商品を加入者に提供することができる。
【発明を実施するための最良の形態】
【００４５】
以下の詳細な説明においては、本発明の発明者が示す本発明の最良の形態の例示として、本発明の好ましい実施の形態についてのみを示し説明する。本発明は、種々の点において、本発明から逸脱しない限り変形することが可能であることは言うまでもない。したがって、以下の図面及び記載は、本発明を単に例示するものであり、本発明を限定するものではない。
【００４６】
図３は、本発明の第１の実施の形態に係るパケットデータトラフィック分析装置が使用された移動通信網のシステム構成を示した図である。
【００４７】
図３に示されているように、本実施の形態に係るシステムは、ＢＴＳ/ＢＳＣ２００、ＰＣＸ/ＰＣＦ３００、ＩＷＦ/ＰＤＳＮ４００、パケットデータトラフィック分析装置５００、並びにＳ/Ｈ及びルータ６００を備える。
【００４８】
ＢＴＳ/ＢＳＣ２００は、実質的に加入者１００の移動性を保障する役割を果たし、ハンドオフ操作や、無線支援及び管理操作を行うための無線網部である。ＢＴＳは、基底帯域信号処理、有無線信号変換、及び無線信号の送受信などを行って加入者１００に接続されるネットワークターミナルであり、ＢＳＣは、ＢＴＳとＰＣＸ/ＰＣＦ３００との間に位置して基地局の管理及び制御を行う。
【００４９】
ＰＣＸ３００は、ＢＴＳ/ＢＳＣ２００を通じて無線接続される加入者１００が無線データサービスを要請した場合に加入者１００をＩＷＦ/ＰＤＳＮ３００に接続する移動通信交換機であり、ＰＣＦ３００はパケット制御装置である。
【００５０】
ＩＷＦ/ＰＤＳＮ４００は、ＰＣＸ/ＰＣＦ３００をデータ通信網、例えば、インターネットなどに接続するためのネットワークリンカであって、ＩＷＦは、第２世代のＩＳ−９５Ａ/Ｂ網に該当し、ＰＤＳＮは、ｃｄｍａ２０００−１ｘ網に該当する。
【００５１】
Ｓ/Ｈ６００は、ＩＷＦ/ＰＤＳＮ４００とサービスサーバ７００との間に接続され、パケットアドレスに基づいてパケットを適切なポートに伝達するハブであり、ルータ６００は、同一の伝送プロトコルを使用する分離されたネットワークを連結する。
【００５２】
パケットデータトラフィック分析装置５００は、ＩＷＦ/ＰＤＳＮ４００とＳ/Ｈ及びルータ６００との間に接続されて、ＩＷＦ/ＰＤＳＮ４００とＳ/Ｈ及びルータ６００との間で伝送されるＩＰパケットデータを受信し、分析して多様な統計を提供する。
【００５３】
図４は、図３に示されたパケットデータトラフィック分析装置５００の詳細ブロック図である。
【００５４】
図４に示されているように、パケットデータトラフィック分析装置５００は、イーサネット（登録商標）分離部５１０、トラフィック分析部５２０、統計記憶部５３０、及び統計照会部５４０を備える。
【００５５】
イーサネット（登録商標）分離部５１０は、ＩＷＦ/ＰＤＳＮ４００とＳ/Ｈ及びルータ６００との間に接続されて、使用者ＩＰパケットデータをＴｘ（送信）情報やＲｘ（受信）情報として別個に受信する。
【００５６】
図５に示すように、イーサネット（登録商標）分離部５１０は、ＩＷＦ/ＰＤＳＮ４００のイーサネット（登録商標）Ｔｘポート４１０からＳ/Ｈ及びルータ６００のイーサネット（登録商標）Ｒｘポート６１０に接続されるケーブルに接続されて、加入者１００からサービスサーバ７００に上向きのパケットデータを受信し、Ｓ/Ｈ及びルータ６００のイーサネット（登録商標）Ｔｘポート６２０からＩＷＦ/ＰＤＳＮ４００のイーサネット（登録商標）Ｒｘポート４２０に接続されるケーブルに接続されて、サービスサーバ７００から加入者１００に下向きのパケットデータを受信する。
【００５７】
第２世代であるＩＳ−９５Ａ/Ｂ網のプロトコル構造においてイーサネット（登録商標）分離部５１０は、図６に示されているように、ＩＷＦ４００の物理（Physical）階層であるＥ−ＮＥＴ（イーサネット（登録商標））とサービスサーバ７００の物理階層であるＥ−ＮＥＴ（イーサネット（登録商標））との間に配設され、ＩＷＦ４００とサービスサーバ７００との間のＩＰ網を物理階層から分離して、加入者１００とサービスサーバ７００との間において送受信されるパケットデータを受信する。
【００５８】
また、第３世代であるｃｄｍａ２０００−１ｘ網のプロトコル構造においてイーサネット（登録商標）分離部５１０は、図７に示されているように、ＰＤＳＮ４００の物理階層であるＥ−ｎｅｔ（イーサネット（登録商標））とサービスサーバ７００の物理階層であるＥ−ｎｅｔ（イーサネット（登録商標））との間に配設され、ＰＤＳＮ４００とサービスサーバ７００との間のＩＰ網を物理階層から分離して、加入者１００とサービスサーバ７００との間において送受信されるパケットデータを受信する。
【００５９】
トラフィック分析部５２０は、イーサネット（登録商標）分離部５１０を介してユーザＩＰパケットデータをＴｘやＲｘ情報として受信し、分析する。
【００６０】
図８に示すように、トラフィック分析部５２０は、イーサネット（登録商標）分離部５１０を介して符号化されたビットストリームを受信し、ＯＳＩ（Open Systems Interconnection）モデルの各階層別にパケットデータトラフィックを分析する。
【００６１】
例えば、符号化されたビットストリームは、各階層の制御情報を含む複数のＰＣＩ（Protocol Control Information）と、加入者１００とサービスサーバ７００との間において伝送されるデータとを含んでいるので、トラフィック分析部５２０は、符号化されたビットストリーム各々から対応するＰＣＩ情報を除去して、各階層、つまり、データリンク（Data Link）層、ネットワーク（Network）層、トランスポート（Transport）層、セッション（session）層、表現（presentation）層、及び応用（application）層におけるパケットデータトラフィックを分析することができる。つまり、符号化されたビットストリームから物理階層のＰＣＩを除去すれば、データリンク層のＰＤＵ（Protocol Data Unit）であるＤＬＰＤＵが分かり、これによりデータリンク層のパケットデータトラフィックを分析することができる。また、ＤＬＰＤＵからデータリンク層のＰＣＩ情報を除去すれば、ネットワーク層のＰＤＵであるＮＰＤＵが分かり、このＮＰＤＵからネットワーク層のＰＣＩを除去すれば、トランスポート層のＰＤＵであるＴＰＤＵが分かり、このＴＰＤＵからトランスポート層のＰＣＩを除去すれば、セッション層のＰＤＵであるＳＰＤＵが分かり、このＳＰＤＵからセッション層のＰＣＩを除去すれば、表現層のＰＤＵであるＰＰＤＵが分かる。また、このＰＰＤＵから表現層のＰＣＩを除去すれば、応用層のＰＤＵであるＡＰＤＵが分かり、そして、このＡＰＤＵから応用層のＰＣＩを除去すれば、最終的な伝送データが分かる。このように把握されるＤＬＰＤＵ、ＮＰＤＵ、ＴＰＤＵ、ＳＰＤＵ、ＰＰＤＵ、及びＡＰＤＵに含まれたＰＣＩは各階層ごとに個別に定義されており、このＰＣＩには、エラー制御情報、フロー制御情報、アドレス情報などが含まれるので、各ＰＤＵを通じてトラフィック分析部５２０は、加入者１００とサービスサーバ７００との間で伝送される各階層のパケットデータトラフィックを分析することができる。
【００６２】
また、図９及び図１０を参照すれば、トラフィック分析部５２０は、第２世代及び第３世代網での呼出し処理のフローを通じてトラフィックを分析し、各種の統計データを求めることができる。
【００６３】
図９は、第２世代であるＩＳ−９５Ａ/Ｂ網に適用可能な呼出し処理のフローである。
【００６４】
ステップＳ１０において、加入者１００がサービスサーバ７００との無線データ通信のためにＢＴＳ/ＢＳＣ２００に無線呼出し送信を試みると、ステップＳ１２において、ＢＴＳ/ＢＳＣ２００は対応する呼出しの設定をＰＣＸ３００に要求する。
【００６５】
ステップＳ１４において、加入者１００からのこのような無線呼出しの設定要求に応じて、ＰＣＸ３００は加入者１００にトラフィックチャンネル（ＴＣＨ）を割り当て、このＴＣＨ割当が完了すると、ＰＣＸ３００はＩＷＦ４００にＩＳＵＰ（ISDN User Park）設定を要求し、ステップＳ１６において、ＩＷＦ４００がこのＩＳＵＰ設定要求に応答すると、ＰＣＸ３００とＩＷＦ４００との間のＩＳＵＰ設定が完了する。
【００６６】
上述のようにＰＣＸ３００とＩＷＦ４００との間のＩＳＵＰ設定が完了すると、加入者１００がＩＷＦ４００にＰＰＰデータリンク設定を要求し、ＩＷＦ４００がこの要求に応答すると、ステップＳ１８において加入者１００とＩＷＦ４００との間のＰＰＰデータリンクが設定される。
【００６７】
次に、加入者１００がＩＷＦ４００にＰＰＰ ＩＰの割当を要求し、ＩＷＦ４００はステップＳ２０において、この要求に応答して、加入者１００にＰＰＰ ＩＰを割り当てる。
【００６８】
このように加入者１００とＩＷＦ４００との間のＰＰＰ設定が完了すると、ステップＳ２２において、Ｓ/Ｈ及びルータ６００を通じて加入者１００とサービスサーバ７００との間のＴＣＰ接続要求と設定動作が行われて、ステップＳ２４において、加入者１００とサービスサーバ７００がＴＣＰデータを伝送する。
【００６９】
その後、上記ＴＣＰデータ伝送中に呼び出しが失敗した場合に、ステップＳ２６において、ＴＣＰ接続が解除される。
【００７０】
このような第２世代での呼出し処理のフローにおいて、トラフィック分析部５２０はＩＷＦ４００とＳ/Ｈ及びルータ６００との間に配設されている。トラフィック分析分５２０は、図９に破線の円Ａで示すように、ＴＣＰ設定を実行して、ＴＣＰデータ伝送トラフィックを受信し、そしてこのＴＣＰデータ伝送トラフィックを分析した後に、サービスサーバ７００への接続成功率、接続時間、接続失敗原因、データ使用量統計、及びメニューヒット（hit）統計などを求める。
【００７１】
同様に、図１０は、第３世代であるｃｄｍａ２０００−１ｘ網に適用される呼出し処理のフローを示す図である。
【００７２】
ステップＳ３０において、加入者１００がサービスサーバ７００との無線データ通信のためにＢＳＣ/ＰＣＦ２００，３００に無線の呼出し設定のための呼出し送信を試み、対応する無線呼出しが設定されると、加入者１００がＰＤＳＮ４００にＲＰ登録を要求し、ＰＤＳＮ４００がこの要求に応答すると、ステップＳ３２において加入者１００とＰＤＳＮ４００との間のＲＰ登録が完了する。
【００７３】
このように加入者１００とＰＤＳＮ４００との間のＲＰ登録が完了すると、加入者１００がＰＤＳＮ４００にＰＰＰデータリンク設定を要求し、ＰＤＳＮ４００がこの要求に応答すると、ステップＳ３４において加入者１００とＰＤＳＮ４００との間のＰＰＰデータリンクが設定される。次に、加入者１００がＰＤＳＮ４００にＰＰＰ ＩＰ割当を要求し、ステップＳ３６において、ＰＤＳＮ４００はこの要求に応答して加入者１００にＰＰＰ ＩＰを割り当てる。
【００７４】
このように加入者１００とＰＤＳＮ４００との間のＰＰＰ設定が完了すると、ステップＳ３８において、Ｓ/Ｈ及びルータ６００を通じて加入者１００とサービスサーバ７００との間のＴＣＰ接続要求と設定動作が行われて、ステップＳ４０において、加入者１００とサービスサーバ７００がＴＣＰデータを伝送する。その後、上述のＴＣＰデータ伝送中に、ある一側で電話を切った場合に、ステップＳ４２においてＴＣＰ接続が解除される。
【００７５】
このような第３世代での呼出し処理のフローにおいて、トラフィック分析部５２０はＰＤＳＮ４００とＳ/Ｈ及びルータ６００との間に配設されている。トラフィック分析部５２０は、図１０に破線の円Ｂで示すように、ＴＣＰ設定を実行して、ＴＣＰデータ伝送トラフィックを受信して、このＴＣＰデータ伝送トラフィックを分析した後、サービスサーバ７００への接続成功率、接続時間、接続失敗原因、データ使用量統計、及びメニューヒット統計などを求める。
【００７６】
トラフィック分析部５２０は、上述のように求められる以下に示す各種のデータを通じてトラフィックを分析することができる。
【００７７】
１）ＯＳＩ ７ Ｌａｙｅｒ（物理層又は応用層）のＴｘ/Ｒｘデータ使用統計
２）ソースＩＰ/送信先ＩＰにサブネットマスクを適用して得られたＴｘ/Ｒｘデータ使用統計
３）ＩＷＦ/ＰＤＳＮＩＰプール（pool）による装備別Ｔｘ/Ｒｘデータ使用統計
４）サービスオプション別に区分された基地局別のＡ１１接続/ＰＤＳＮＰＰＰ接続統計
５）ＴＣＰ/ＵＤＰポート番号による応用統計
統計記憶部５３０は、イーサネット（登録商標）分離部５１０を介して受信されるパケットデータを通じて、トラフィック分析部５２０が分析した結果データを記憶する。また、統計記憶部５３０は、分析データを含んだ各種のデータを記憶するデータベース、及び外部からのデータ検索要請などに応じてデータベースから対応するデータを検索し、この検索したデータを提供するデータベース管理部などで構成される。
【００７８】
統計照会部５４０は、使用者とのインターフェースであるＧＵＩ（Graphical User Interface）を含み、統計記憶部５３０に記憶された各種データを検索し、使用者が所望する統計情報を提供する。
【００７９】
統計照会部５４０のＧＵＩによって使用者は、ＩＰ網での直接的なトラフィックを通じて分析される各種のリアルタイム統計データを得ることができる。このリアルタイム統計データには、Ｒｘ、Ｔｘ、Ｒｘ＋Ｔｘデータなどの通信量と、各階層への接続試行、成功回数、失敗回数、及び現在状態などの統計が含まれ、また、各応用（application）に関するＩＰ別使用統計、サービス別接続成功率統計、応答時間などの統計、基地局別ＰＰＰセッション成功率統計などが含まれる。
【００８０】
上述のように、ＩＰ網においてイーサネット（登録商標）分離部５１０によって物理階層のトラフィックを分離して分析することにより、従来のＩＷＦやＰＤＳＮが提供するデータトラフィック統計に基づいた分析に比べて、より多くの統計情報を得ることができ、また、ＩＰ網の効率的な管理が可能になる。
【００８１】
図１１は、本発明の第２の実施の形態に係るパケットデータトラフィック分析を行うサービス監視装置が使用された移動通信網のシステム構成を示した図である。
【００８２】
図１１に示されているように、本実施の形態に係るパケットデータトラフィック分析を行うサービス監視装置が使用された移動通信網のシステムは、ＢＴＳ/ＢＳＣ２００、ＰＣＸ/ＰＣＦ３００、ＩＷＦ/ＰＤＳＮ４００、Ｓ/Ｈ及びルータ６００、並びにサービス監視装置８００を備える。ＢＴＳ/ＢＳＣ２００、ＰＣＸ/ＰＣＦ３００、ＩＷＦ/ＰＤＳＮ４００、並びにＳ/Ｈ及びルータ６００は、図３に関する第１の実施の形態における構成とその機能が同一であり、同一の符号を使用して説明する。また、ＢＴＳ/ＢＳＣ２００、ＰＣＸ/ＰＣＦ３００、ＩＷＦ/ＰＤＳＮ４００、Ｓ/Ｈ及びルータ６００などの機能及び動作などについては既に図３乃至図１０を参照して説明したので、以下、サービス監視装置８００について説明する。
【００８３】
サービス監視装置８００は、ＩＷＦ/ＰＤＳＮ４００とＳ/Ｈ及びルータ６００との間に接続され、ＩＷＦ/ＰＤＳＮ４００とＳ/Ｈ及びルータ６００との間で伝送されるＩＰパケットデータを受信及び分析して、多様な統計データを生成する。また、サービス監視装置８００は、このような統計を周期的に又はリアルタイムで照会して、各種のサービス状態を移動通信網運用事業者に可視情報及び可聴情報として提供する。
【００８４】
図１２は、図１１に示されたサービス監視装置の詳細ブロック図である。
【００８５】
図１２に示されているように、サービス監視装置８００は、イーサネット（登録商標）分離部８１０、トラフィック分析部８２０、統計記憶部８３０、及びサービス監視部８４０を備える。イーサネット（登録商標）分離部８１０、トラフィック分析部８２０、及び統計記憶部８３０は、上述したイーサネット（登録商標）分離部５１０、トラフィック分析部５２０、及び統計記憶部５３０とその機能が同一であるので、ここでは簡潔に説明する。
【００８６】
イーサネット（登録商標）分離部８１０は、ＩＷＦ/ＰＤＳＮ４００とＳ/Ｈ及びルータ６００との間に直接接続されており、ユーザＩＰパケットデータをＴｘデータ及びＲｘデータに区分して受信する。より詳しくは、イーサネット（登録商標）分離部８１０は、ＩＷＦ/ＰＤＳＮ４００とＳ/Ｈ及びルータ６００との間に接続されるケーブルに接続されており、物理階層を分離して、加入者１００とサービスサーバ７００との間で伝送される使用者パケットデータを受信する。
【００８７】
トラフィック分析部８２０は、イーサネット（登録商標）分離部８１０を通じて受信されるユーザＩＰパケットデータをＴｘデータ及びＲｘデータに区分受信して分析し、この分析を通じて第２世代及び第３世代網での呼出し処理のフローを把握して、トラフィック分析によって各種の統計を求めることができる。
【００８８】
トラフィック分析部８２０は、上記第１の実施の形態のように多様な統計を求めることができるが、第２の実施の形態においてはサービス監視のための統計情報が必要である。この統計情報には以下のものが含まれる。
【００８９】
１）サービスオプション別に区分された統計（試行回数、成功イベント回数など）
２）ＴＣＰポート番号による統計（試行回数、成功イベント回数など）
次に、統計記憶部８３０は、イーサネット（登録商標）分離部８１０を介して受信されるパケットデータを通じて、トラフィック分析部８２０が分析した結果データを記憶する。この統計記憶部８３０は、分析データを含んだ各種のデータを記憶するデータベースと、外部からのデータ検索要請などに応じてデータベースから対応するデータを検索し、これを提供するデータベース管理部などを備える。
【００９０】
サービス監視部８４０は、統計データ、例えば、サービスオプション別に区分された試行回数、成功イベント回数などの統計データや、ＴＣＰポート番号別のサービス試行回数、成功イベント回数などの統計データなどを周期的に照会したり、又は移動通信網運用事業者の要請に応じてリアルタイムで照会して、各サービスの正常状態を移動通信網運用事業者に可視情報及び可聴情報として提供する。したがって、移動通信網運用事業者は、イーサネット（登録商標）分離部８１０を用いてＩＰ網における物理階層のトラフィックを分離して分析することにより、サービス監視が可能になる。
【００９１】
図１３は、本発明の第３の実施の形態に係るプロトコル分析に基づいたネットワーク監視装置が使用された移動通信網のシステム構成を示した図である。
【００９２】
図１３に示されているように、本実施の形態に係るプロトコル分析に基づいたネットワーク監視装置が使用された移動通信網のシステムは、ＢＴＳ/ＢＳＣ/ＰＣＦ１２００、ネットワーク監視装置１３００、ＰＤＳＮ１４００、並びにＳ/Ｈ及びルータ１５００を備える。ＢＴＳ/ＢＳＣ１２００、ＰＣＦ１２００、ＰＤＳＮ１４００、並びにＳ/Ｈ及びルータ１５００は、上述のように図３を参照して説明した第１の実施形態における構成に対応するので、説明の便宜上、ここでは省略する。
【００９３】
ネットワーク監視装置１３００は、ＰＣＦ１２００とＰＤＳＮ１４００との間と、ＰＤＳＮ１４００とＳ/Ｈ及びルータ１５００との間に接続されており、ＰＣＦ１２００とＰＤＳＮ１４００との間と、ＰＤＳＮ１４００とＳ/Ｈ及びルータ１５００との間で伝送されるＩＰパケットデータを受信及び分析して、多様な統計を生成し、この統計を周期的に照会してネットワークの状態に関する情報を生成して、この情報を移動通信網運用事業者に可視形態及び可聴形態にして提供する。
【００９４】
ネットワーク監視装置１３００は、イーサネット（登録商標）分離部１３１０，１３２０、プロトコル分析部１３３０，１３４０、統計記憶部１３５０、及びネットワーク監視部１３６０を備える。
【００９５】
イーサネット（登録商標）分離部１３１０は、ＰＣＦ１２００とＰＤＳＮ１４００との間に直接接続されており、受信したユーザＩＰパケットデータをＴｘデータ及びＲｘデータに区分する。一方、イーサネット（登録商標）分離部１３２０は、ＰＤＳＮ１４００とＳ/Ｈ及びルータ１５００との間に直接接続されており、受信したユーザＩＰパケットデータをＴｘデータ及びＲｘデータに区分する。
【００９６】
図１４を参照すれば、イーサネット（登録商標）分離部１３１０は、ＰＣＦ１２００のイーサネット（登録商標）Ｔｘポート１２１０からＰＤＳＮ１４００のイーサネット（登録商標）Ｒｘポート１４１０に接続されるケーブルに接続されており、加入者１１００からサービスサーバ１７００に上向きに供給されるパケットデータを受信する。また、イーサネット（登録商標）分離部１３１０は、ＰＤＳＮ１４００のイーサネット（登録商標）Ｔｘポート１４２０からＰＣＦ１２００のイーサネット（登録商標）Ｒｘポート１２２０に接続されるケーブルに接続されており、サービスサーバ１７００から加入者１１００に下向きに供給されるパケットデータを受信する。
【００９７】
また、図１５を参照すれば、イーサネット（登録商標）分離部１３２０は、ＰＤＳＮ１４００のイーサネット（登録商標）Ｔｘポート１４３０からＳ/Ｈ及びルータ１５００のイーサネット（登録商標）Ｒｘポート１５１０に接続されるケーブルに接続されており、加入者１１００からサービスサーバ１７００に上向きに供給されるパケットデータを受信する。また、イーサネット（登録商標）分離部１３２０は、Ｓ/Ｈ及びルータ１６００のイーサネット（登録商標）Ｔｘポート１５２０からＰＤＳＮ１４００のイーサネット（登録商標）Ｒｘポート１４４０に接続されるケーブルに接続されており、サービスサーバ１７００から加入者１１００に下向きに供給されるパケットデータを受信する。
【００９８】
第３世代であるｃｄｍａ２０００−１ｘ網のプロトコル構造において、図１６に示されているように、イーサネット（登録商標）分離部１３１０は、ＰＣＦ１２００の物理階層であるイーサネット（登録商標）とＰＤＳＮ１４００の物理階層であるイーサネット（登録商標）の間に配設されており、ＰＣＦ１２００とＰＤＳＮ１４００との間のＩＰ網を物理階層から分離して、ＰＣＦ１２００とＰＤＳＮ１４００との間において送受信されるパケットデータを受信する。イーサネット（登録商標）分離部１３２０は、ＰＤＳＮ１４００の物理階層であるイーサネット（登録商標）とサービスサーバ６００の物理階層であるイーサネット（登録商標）の間に配設されており、ＰＤＳＮ１４００とサービスサーバ１６００との間のＩＰ網を物理階層から分離して、ＰＤＳＮ１４００とサービスサーバ１６００との間において送受信されるパケットデータを受信する。
【００９９】
プロトコル分析部１３３０及び１３４０は、イーサネット（登録商標）分離部１３１０及び１３２０を通じて受信されるユーザＩＰパケットデータをＴｘデータ及びＲｘデータに区分した後、無線データ通信に関する、特に無線インターネット（登録商標）サービスに関するＡ１１及びＲＡＤＩＵＳプロトコルデータ統計をＴｘデータ及びＲｘデータに対して夫々分析する。
【０１００】
図１７を参照すれば、プロトコル分析部１３３０及び１３４０は、ＩＰネットワークにおける呼出し処理のフローによってプロトコルを分析し、各種の統計を求めることができる。
【０１０１】
図１７は、移動通信網に適用される呼出し処理のフローを示す図である。加入者１１００とサービスサーバ１６００との間にＴＣＰを設定してＴＣＰデータを伝送した後に、ＴＣＰ連結を解除するステップＳ１３０〜Ｓ１４２の処理は、本発明の第１の実施の形態において図９を参照して説明したステップＳ３０〜Ｓ４２の処理と一致するので、説明の便宜上、ここでは説明を省略する。
【０１０２】
図１７に示されるように、移動通信網での呼出し処理のフローにおいて、プロトコル分析部１３３０はＰＣＦ１２００とＰＤＳＮ１４００との間に配設され、図１７中の破線の円‘Ｃ’で示すＲＰ登録を実行し、加入者認証プロトコルを受信して分析した後、認証成功率、認証実行時間、認証失敗原因などを求め、破線の円‘Ｄ’で示すようにＰＰＰデータリンクを設定し、ＰＰＰ ＩＰ割当プロトコルを受信して、ＰＰＰ  ＩＰ割当プロトコルを分析した後、セッション成功率、セッション失敗原因、セッション実行時間などを求める。プロトコル分析部１３４０は、ＰＤＳＮ１４００とＳ/Ｈ及びルータ１５００との間に配設され、破線の円‘Ｅ’で示すようにＴＣＰを設定し、ＴＣＰデータ伝送プロトコルを受信して、ＴＣＰデータ伝送プロトコル分析した後、サービスサーバ１６００への接続成功率、接続時間、接続失敗原因、データ使用統計、メニューヒット統計などを求める。
【０１０３】
上述したように、プロトコル分析部１３３０及び１３４０は、上述のように求められるデータを通じて次のような内容を分析し、ネットワークを監視するための統計情報を生成する。
【０１０４】
１）基地局別Ａ１１接続統計（試行回数、成功イベント回数など）
２）ＰＤＳＮ別Ａ１１接続統計（試行回数、成功イベント回数など）
３）Ａ１１失敗原因別統計
４）基地局別ＰＰＰ接続統計
５）ＰＤＳＮ別ＰＰＰ接続統計
６）ＲＡＤＩＵＳメッセージ統計
統計記憶部１３５０は、プロトコル分析部１３３０及び１３４０が各々分析した結果データを記憶する。統計記憶部１３５０は、分析データを含んだ各種のデータを記憶するデータベースと、外部からのデータ検索要請などに応じてデータベースから対応するデータを検索して提供するデータベース管理部などを備える。
【０１０５】
ネットワーク監視部１３６０は、統計記憶部１３５０に記憶された各種統計データを周期的に照会して、ネットワークの正常状態を移動通信網運用事業者に可視情報及び可聴情報として提供する。したがって、移動通信網運用事業者は、ＩＰ網においてイーサネット（登録商標）分離部１３１０及び１３２０を用いて物理階層のプロトコルを分析することによって、ネットワーク全体の監視が可能になる。
【０１０６】
図１８は、本発明の第４の実施の形態に係るパケットデータ分析に基づいたデータサービス別料金請求情報生成装置が使用された移動通信網のシステム構成を示した図である。
【０１０７】
図１８に示されているように、本実施の形態に係るシステムは、ＢＴＳ/ＢＳＣ２２００、ＰＣＸ/ＰＣＦ２３００、ＩＷＦ/ＰＤＳＮ２４００、料金請求情報生成装置２５００、並びにＳ/Ｈ及びルータ２６００を備える。ここで、ＢＴＳ/ＢＳＣ２２００、ＰＣＸ/ＰＣＦ２３００、ＩＷＦ/ＰＤＳＮ２４００、並びにＳ/Ｈ及びルータ２６００は、上述のように図３を参照して説明した第１の実施の形態における構成に対応するので、説明の便宜上、ここでは説明を省略する。
【０１０８】
一方、料金請求情報生成装置２５００はＩＷＦ/ＰＤＳＮ２４００とＳ/Ｈ及びルータ２６００との間に接続され、ＩＷＦ/ＰＤＳＮ２４００とＳ/Ｈ及びルータ２６００との間で伝送されるユーザＩＰパケットデータと、ＩＷＦ/ＰＤＳＮ４００から提供される料金請求情報とを使用して、サービス別料金請求情報を生成する。
【０１０９】
図１９は、図１８に示された料金請求情報生成装置２５００の詳細ブロック図である。
【０１１０】
図１９に示されているように、料金請求情報生成装置２５００は、パケット分離部２５１０、パケット分析部２５２０、及び料金請求情報記憶部２５３０を備える。
【０１１１】
パケット分離部２５１０はＩＷＦ/ＰＤＳＮ２４００とＳ/Ｈ及びルータ２６００との間に直接接続されており、受信したユーザＩＰパケットデータをＴｘデータ及びＲｘデータに区分する。
【０１１２】
図２０に示すように、パケット分離部２５１０は、ＩＷＦ/ＰＤＳＮ２４００のイーサネット（登録商標）Ｔｘポート２４１０からＳ/Ｈ及びルータ２６００のイーサネット（登録商標）Ｒｘポート２６１０に接続されるケーブルに接続されており、加入者２１００からサービスサーバ２７００に上向きに提供されるパケットデータを受信する。また、パケット分離部２５１０は、Ｓ/Ｈ及びルータ２６００のイーサネット（登録商標）Ｔｘポート２６２０からＩＷＦ/ＰＤＳＮ２４００のイーサネット（登録商標）Ｒｘポート２４２０に接続されるケーブルに接続されており、サービスサーバ２７００から加入者２１００に下向きに提供されるパケットデータを受信する。
【０１１３】
第２世代であるＩＳ−９５Ａ/Ｂ網において、パケット分離部２５１０は、図２１に示されているように、ＩＷＦ２４００の物理階層であるイーサネット（登録商標）（Ｅ−ＮＥＴ）とサービスサーバ２７００の物理層であるイーサネット（登録商標）（Ｅ−ＮＥＴ）の間に配設されており、ＩＷＦ２４００とサービスサーバ２７００との間のＩＰ網を物理階層から分離して、加入者２１００とサービスサーバ２７００との間において送受信されるパケットデータを受信する。
【０１１４】
また、第３世代であるｃｄｍａ２０００−１ｘ網において、パケット分離部２５１０は、図２２に示されているように、ＰＤＳＮ２４００の物理階層であるイーサネット（登録商標）（Ｅ−ＮＥＴ）とサービスサーバ２７００の物理階層であるイーサネット（登録商標）（Ｅ−ＮＥＴ）の間に配設されており、ＰＤＳＮ２４００とサービスサーバ２７００との間のＩＰ網を物理階層から分離して、加入者２１００とサービスサーバ２７００との間に送受信されるパケットデータを受信する。
【０１１５】
パケット分析部２５２０は、パケットデータ分離部２５１０を通じて受信したユーザパケットデータをＴｘデータ及びＲｘデータに区分したり、又はＳ/Ｈ及びルータ２６００から提供されるポートミラーリング機能を利用して、ＩＰ網から受信したユーザパケットデータをＴｘデータ及びＲｘデータに区分する。Ｓ/Ｈ及びルータ２６００から提供されるポートミラーリング機能は本願発明の属する技術分野における当業者に公知であるので、ここではその説明を省略する。パケット分析部２５２０は、パケット分離部２５１０やＳ/Ｈ及びルータ２６００から受信されるユーザパケットデータを分析し、分析された加入者別送信先ＩＰ及びポート番号などの情報と、加入者２１００が使用するパケットデータとを利用して、加入者２１００が使用するサービス情報を求める。
【０１１６】
図２３を参照すれば、パケット分析部２５２０は、パケット分離部２５１０やＳ/Ｈ及びルータ２６００を通じて受信される符号化されたビットストリームを受信し、ＯＳＩ（Open Systems Interconnection）モデルの各階層別にパケットデータを分析して、加入者別送信先ＩＰと加入者２１００が使用するパケットデータを求める。パケット分析部２５２０が符号化されたビットストリームから各ＰＣＩを除去し、各階層、つまり、データリンク層、ネットワーク層、トランスポート層、セッション層、表現層、及び応用層でのパケットデータ及びパケットデータトラフィックを分析して加入者２１００別サービス使用情報を求める処理は、上述の第１の実施の形態において図８を参照して説明したように、トラフィック分析部５２０がパケットデータ及びパケットデータトラフィックを分析する処理と非常に類似しているので、説明の便宜上、ここでは説明を省略する。
【０１１７】
料金請求情報記憶部２５３０は、パケット分析部２５２０で求められた料金請求情報、つまり、加入者別サービス使用情報と、ＩＷＦ/ＰＤＳＮ２４００で従来の方法により生成される加入者２１００の料金請求情報とを受信して、これらを１つのサービス別料金請求情報として処理して記憶する。
【０１１８】
料金請求情報記憶部２５３０は、サービス別料金請求情報を有する加入者の料金請求情報を、実際の加入者に料金請求するために料金請求処理システム（図示せず）に伝送する。料金請求情報記憶部２５３０は、データを記憶するデータベースと、記憶されたデータを管理するデータベース管理部などとを有し、パケット分析部２５２０から提供される料金請求情報やＩＷＦ/ＰＤＳＮ２４００から提供される料金請求情報を使用して１つのサービス別料金請求情報を生成し、且つ生成したサービス別料金請求情報を加入者の料金請求情報として記憶する手段をさらに含む。
【０１１９】
ＩＰ網におけるパケット分離又はパケットミラーリングによって収集されるユーザパケットデータを分析することにより、各加入者が使用する無線データサービスに応じて、サービス別料金請求情報が生成される。
【０１２０】
以上、本発明を最も実際的であり好ましいと考えられる実施の形態を参照して説明したが、本発明は上述の各実施の形態に限定されものではないことは言うまでもなく、特許請求の範囲に係る発明の精神及び範囲内に属する多様な変形及び等価の構成も本発明に含まれるものである。
【０１２１】
本発明によれば、移動通信網において無線データサービスにおけるＩＰネットワークを介するパケットデータトラフィックの分析を効率的に行うことができ、移動通信網の投資のためのより多くの統計及びより詳細な情報を提供することができる。
【０１２２】
移動通信網運用事業者によって無線データサービスの監視が可能になるので、より安定した無線データサービスを加入者に提供することができる。
【０１２３】
また、移動通信網運用事業者によって無線データサービスを提供するネットワークの総合的な監視が可能になるので、より安定した無線データ通信サービスを加入者に提供することができる。
【０１２４】
加えて、移動通信網運用事業者は、加入者が利用する種々のサービスに応じてサービス別の料金請求を行うことができ、加入者に種々のサービス商品を提供することができる。
【図面の簡単な説明】
【０１２５】
【図１】無線データサービス提供のための従来のシステム構成を示した図である。
【図２】無線データサービス提供のための従来のシステム構成を示した図である。
【図３】本発明の第１の実施の形態に係るパケットデータトラフィック分析装置が使用された移動通信網のシステム構成を示した図である。
【図４】図３に示されたパケットデータトラフィック分析装置の詳細ブロック図である。
【図５】図３に示されたイーサネット（登録商標）分離部の接続を示した図である。
【図６】本発明の第１の実施の形態に係るＩＳ−９５Ａ/Ｂ網でのプロトコル構造を示した図である。
【図７】本発明の第１の実施の形態に係るｃｄｍａ２０００−１ｘ網でのプロトコル構造を示した図である。
【図８】図３に示されたトラフィック分析部によるＯＳＩモデルの各階層別パケットデータトラフィック分析の概念を示した図である。
【図９】本発明の第１の実施の形態に係るＩＳ−９５Ａ/Ｂ網での呼出しのフローを示した図である。
【図１０】本発明の第１の実施の形態に係るｃｄｍａ２０００−１ｘ網での呼出しのフローを示した図である。
【図１１】本発明の第２の実施の形態に係るパケットデータトラフィック分析を行うサービス監視装置が使用された移動通信網のシステム構成を示した図である。
【図１２】図１１に示されたサービス監視装置の詳細ブロック図である。
【図１３】本発明の第３の実施の形態に係るプロトコル分析に基づいたネットワーク監視装置が使用された移動通信網のシステム構成を示した図である。
【図１４】図１３に示されたイーサネット（登録商標）分離部の接続を示した図である。
【図１５】図１３に示された他のイーサネット（登録商標）分離部の接続を示した図である。
【図１６】本発明の第３の実施の形態に係るｃｄｍａ２０００−１ｘ網でのプロトコル構造を示した図である。
【図１７】本発明の第３の実施の形態に係るｃｄｍａ２０００−１ｘ網での呼出しのフローを示した図である。
【図１８】本発明の第４の実施の形態に係るパケットデータ分析に基づいたデータサービス別料金請求情報生成装置が使用された移動通信網のシステム構成を示した図である。
【図１９】図１８に示された料金請求情報生成装置の詳細ブロック図である。
【図２０】図１８に示されたパケット分離部の接続を示した図である。
【図２１】本発明の第４の実施の形態に係るＩＳ−９５Ａ/Ｂ網でのプロトコル構造を示した図である。
【図２２】本発明の第４の実施の形態に係るｃｄｍａ２０００−１ｘ網でのプロトコル構造を示した図である。
【図２３】図１８に示されたパケット分析部によるＯＳＩモデルの各階層別パケットデータトラフィック分析の概念を示した図である。
【図１】
2006506842.tif 000003
【図２】
2006506842.tif 000004
【図３】
2006506842.tif 000005
【図４】
2006506842.tif 000006
【図５】
2006506842.tif 000007
【図６】
2006506842.tif 000008
【図７】
2006506842.tif 000009
【図８】
2006506842.tif 000010
【図９】
2006506842.tif 000011
【図１０】
2006506842.tif 000012
【図１１】
2006506842.tif 000013
【図１２】
2006506842.tif 000014
【図１３】
2006506842.tif 000015
【図１４】
2006506842.tif 000016
【図１５】
2006506842.tif 000017
【図１６】
2006506842.tif 000018
【図１７】
2006506842.tif 000019
【図１８】
2006506842.tif 000020
【図１９】
2006506842.tif 000021
【図２０】
2006506842.tif 000022
【図２１】
2006506842.tif 000023
【図２２】
2006506842.tif 000024
【図２３】
2006506842.tif 000025
【国際調査報告】
2006506842.tif 000026